(57)【要約】  【課題】リード端子１３ａが挿入される有底の穴部１１ａ及びランドパタン１１ｂを有したプリント配線基板１１と、有低の穴部にリード端子が挿入されリード端子及びランドパタンがハンダつけされている電子デバイス１３と、を具える電子機器１０での、ハンダの破裂を防止する。  【解決手段】電子機器１０は、有底の穴部の底面の一部からプリント配線基板の裏面に貫通していて、リード端子がプリント配線基板の裏面側に落ちない平面形状および又は大きさの補助穴部１１ａａを具える。補助穴部は、有底の穴部内の空気を外部に逃がすものである。有底の穴部の平面形状は円形状であり、補助穴部の平面形状は円形状であり、補助穴部の径は有底の穴部の径より小さい。【選択図】図１
2020202347.tif 000002
【特許請求の範囲】
【請求項１】
リード端子が挿入される有底の穴部及び前記穴部の周囲に設けたランドパタンを有したプリント配線基板と、前記穴部にリード端子が挿入され前記リード端子及びランドパタンがハンダつけされている電子デバイスと、を具える電子機器において、
前記有底の穴部の底面の一部から前記プリント配線基板の裏面に貫通していて、前記リード端子が前記裏面側に落ちない平面形状および又は大きさの補助穴部を具えることを特徴とする電子機器。
【請求項２】
前記有底の穴部の平面形状は円形状であり、前記補助穴部の平面形状は円形状であり、前記補助穴部の径が前記有底の穴部の径より小さいことを特徴とする請求項１に記載の電子機器。
【請求項３】
前記補助穴部の平面的な中心が前記有底の穴部の平面的な中心と一致していることを特徴とする請求項２に記載の電子機器。
【請求項４】
前記補助穴部の平面的な中心が前記有底の穴部の平面的な中心からずれていることを特徴とする請求項２に記載の電子機器。
【請求項５】
前記電子デバイスが恒温槽型の水晶発振部であり、前記電子機器が恒温槽型の水晶発振器であることを特徴とする請求項１〜４のいずれか１項に記載の電子機器。
【発明の詳細な説明】
【技術分野】
【０００１】
本発明は、有底の穴部すなわち底のある穴部を持つプリント配線基板と、この配線基板にハンダによって実装されている電子デバイスと、を具える電子機器に関する。
【背景技術】
【０００２】
この種の電子機器の一例として、例えば特許文献１に開示された恒温槽型の水晶発振器（いわゆるＯＣＸＯ）がある。図３はその説明図であり、特に図３（Ａ）は、水晶発振器３０の断面図、図３（Ｂ）はランドパタン３１ｂの周辺を拡大して示した平面図である。
この水晶発振器３０は、有底の穴部３１ａを持つプリント配線基板３１と、リード端子３３ａを持つ電子デバイスとしての恒温槽型の水晶発振部３３と、を具えている。なお、プリント配線基板３１は、有底の穴部３１ａの周囲にランドパタン３１ｂを具えている。
【０００３】
この水晶発振器３０では、水晶発振部３３のリード端子３３ａが、プリント配線基板３１の有底の穴部３１ａに挿入され、且つ、ランドパタン３１ｂにハンダ３５によってハンダ付けされている。この水晶発振器３０は、有底の穴部３１ａを用いているためリード端子３３ａの挿入深さを一定にし易い等の利点を有する。
一方、この水晶発振器３０では、有底の穴部３１ａに閉じ込められている空気が、ハンダ付けの際の熱によって膨張し、ハンダを破裂させる場合がある。すなわち、ブローホールが生じ易い。そのため、特許文献１の構造では、ランドパタン３１ｂの一部にランドパタン用の金属膜を除去した空気を逃がす切欠き部３１ｂｂを設けている。
【先行技術文献】
【特許文献】
【０００４】
【特許文献１】特開２００８−１１７８０４号公報
【発明の概要】
【発明が解決しようとする課題】
【０００５】
特許文献１に開示の水晶発振器３０では、穴に閉じ込められた空気がハンダ付の際に膨張しても切欠き部３１ｂｂから逃げるため、ハンダを破裂させる危険性をある程度は回避できるが、さらなる改善が望まれる。
この出願はこのような点に鑑みなされたものであり、リード端子が挿入される有底の穴部を有したプリント配線基板と、これに実装される電子デバイスとをハンダ実装する際の、ハンダの破裂を防止する新規な構造を持つ電子機器を提供することにある。
【課題を解決するための手段】
【０００６】
この目的の達成を図るため、この発明の電子機器によれば、リード端子が挿入される有底の穴部及び前記穴部の周囲に設けたランドパタンを有したプリント配線基板と、前記穴部にリード端子が挿入され前記リード端子及びランドパタンがハンダつけされている電子デバイスと、を具える電子機器において、
前記有底の穴部の底面の一部から前記プリント配線基板の裏面に貫通していて、前記リード端子が前記裏面側に落ちない平面形状および又は大きさの補助穴部を具えることを特徴とする。
【発明の効果】
【０００７】
この発明の電子機器によれば、リード端子が挿入されハンダ付け時のハンダが及ぶ穴部の底面に補助穴部を具えるため、補助穴部が空気の逃げ道となるので、有底の穴部に空気が閉じ込められにくい。また、空気が有底の穴部に閉じ込められたとしても空気はハンダ付け時に補助穴部からも逃げる。これらのため、ハンダ付け時に空気が破裂する危険が低減されるので、いわゆるブローホールの発生を低減できる。従って、信頼性の高いハンダ付け構造を実現できる。
【図面の簡単な説明】
【０００８】
【図１】（Ａ）、（Ｂ）、（Ｃ）は、実施形態の電子機器１０を説明する図である。
【図２】（Ａ）、（Ｂ））は、実施形態の電子機器１０におけるプリント配線基板１１の補助穴部の例を説明する図である。
【図３】（Ａ）、（Ｂ））は、従来の電子機器３０におけるプリント配線基板を説明する図である。
【発明を実施するための形態】
【０００９】
以下、図面を参照してこの発明の電子機器の実施形態について説明する。なお、説明に用いる各図はこの発明を理解できる程度に概略的に示してあるにすぎない。また、説明に用いる各図において、同様な構成成分については同一の番号を付して示し、その説明を省略する場合もある。また、以下の実施形態は本発明の一例にすぎず、従って、本発明は以下の実施形態のみに限定されるものではない。
【００１０】
図１（Ａ）、（Ｂ）、（Ｃ）は、実施形態の電子機器１０を説明する図であり、特に、（Ａ）図は全体斜視図、（Ｂ）図は（Ａ）図中のＰ−Ｐ線に沿う断面図、（Ｃ）図は（Ｂ）図中のＲ部分を拡大して示した断面図である。
【００１１】
実施形態の電子機器１０は、プリント配線基板１１と、電子デバイス１３として恒温槽型の水晶発振部（ＯＣＸＯ）と、ハンダ部１５と、を備えている。なお、図１（Ｂ）に示した構成成分１７は、本発明の要件ではないが、チップ抵抗やチップコンデンサ等の部品である。
プリント配線基板１１は、水晶発振器１３のリード端子１３ａが挿入される有底の穴部１１ａと、これに連結している補助穴部１１ａａと、穴部１１ａの周囲に設けたランドパタン１１ｂと、を具えている。
【００１２】
有底の穴部１１ａは、リード端子１３ａの径に対し所定寸法だけ広い径を持つものである。然も、有底の穴部１１ａは、水晶発振器１３の底面をプリント配線基板１１の表面から所定間隔だけ浮かせることができるよう、リード端子１３ａの長さより浅い深さをもつものである。
ランドパタン１１ｂは、有底の穴部１１ａの周囲に設けたハンダ付け用のパタンである。ランドパタン１１ｂは、有底の穴部１１ａの周囲のみに設けたものでも良いし、他の部品に繋がった配線パタンの一部でも良い。
【００１３】
恒温槽型の水晶発振部１３は、例えばＳＣカットの水晶片、加熱ヒータ、温度センサ及び温度制御回路（いずれも図示せず）を含む公知のものである。
【００１４】
一方、本発明に係る補助穴部１１ａａは、有底の穴部１１ａの底面の一部からプリント配線基板１１の裏面に貫通していて、かつ、リード端子１３ａがプリント配線基板１１の裏面側に落ちないような平面形状および又は大きさの補助穴部である。すなわち、リード端子１３ａの下端を支えて、リード端子１３ａがプリント配線基板１１の裏面に抜け出ることがないことを前提に、プリント配線基板１１の裏面に貫通している穴部である。この補助穴部１１ａａの平面形状や大きさの具体例は、後に図２を参照して説明する。
【００１５】
これらプリント配線基板１１、有底の穴部１１ａおよびランドパタン１１ｂは、例えばエポキシ製のプリント配線基板の製造技術によって製造される公知のもので良い。また、補助穴部１１ａａも、上記の公知の製造技術によって製作したもので良い。
【００１６】
また、ハンダ部１５は、リード端子１３ａ及びランドパタン１１ｂをハンダつけしているものである。具体的には、リード端子１３ａ、穴部１１ａ及びランドパタン１１ｂ間を渡ってリード端子１３ａとランドパタン１１ｂとを、ハンダ付けしているものである。ただし、この電子機器１０の場合、補助穴部１１ａａを設けてあるので、ハンダ部１５の下方側には補助穴部１１ａａによる空間が生じている。そのため、図１（Ｃ）に示したように、空気１９は有底の穴部に閉じ込められにくくなり、又、空気１９が穴部１１ａに閉じ込められハンダ付時の熱で膨張したとしても補助穴部１１ａａを通して補助穴部１１ａａから抜ける。これらのため、ハンダ部１５内に空隙いわゆるブローホールが生じ難くなるため、信頼性の高いハンダ付構造を実現できる。
【００１７】
次に、補助穴部１１ａａの具体例について説明する。図２はそのための図であり、特に図２（Ａ））は、プリント配線基板１１の断面図であり、図２（Ｂ）、図２（Ｃ）は、補助穴部１１ａａの具体例を説明する平面図である。なお、図２（Ｂ）、図２（Ｃ）は、図２（Ａ）中のＳ部分を拡大した平面図に相当する図である。
図２（Ｂ）に示した例は、有底の穴部１１ａが、平面形状が円形の穴部であり、且つ、補助穴部１１ａａが、有底の穴部１１ａのほぼ半分の領域すなわち半円のものである例である。
【００１８】
また、図２（Ｃ）に示した例は、有底の穴部１１ａが、平面形状が円形の穴部であり、且つ、補助穴部１１ａａが、有底の穴部１１ａのほぼ半分の径をもつ円形のものである例である。然も、補助穴部１１ａａの平面的な中心は有底の穴部１１ａの平面的な中心からずれた位置になるように補助穴部を設けた例である。ただし、補助穴部１１ａａの平面的な中心が有底の穴部１１ａの平面的な中心と一致していても良い。図２（Ｃ）に示した、補助穴部の平面形状が円形のものは、図２（Ｂ）に示したものに比べて、製作が容易という利点がある。
これら図２（Ｂ）、（Ｃ）に示した補助穴部１１ａａであれば、リード端子の下端は有底の穴部内に留まりプリント配線基板１１の裏面に至る落ちることがないから、有底の穴部の機能を維持できる。然も、空気を補助穴部１１ａａから外部に逃がすことができる。
【００１９】
上述においてはこの発明の実施形態について説明したが、補助穴部の形状は上述した例に限られず、本発明の目的の範囲で任意好適な形状にできる。
また、実施形態では電子デバイスとして恒温槽型の水晶発振部を挙げたが、電子デバイスは上記の例に限られず、他のものでも良い。
【符号の説明】
【００２０】
１０：実施形態の電子機器、            １１：プリント配線基板、
１１ａ：有底の穴部、                  １１ａａ：補助穴部、
１１ｂ：ランドパタン
１３：電子デバイス（恒温槽型の水晶発振部）
１３ａリード端子、                    １５：ハンダ部
【図１】
2020202347.tif 000003
【図２】
2020202347.tif 000004
【図３】
2020202347.tif 000005